(57)【要約】【課題】カバー部材の筐体への組み込みが容易で、且つ、筐体からの引き抜き性を損なうことなく確実に筐体に組み込ませることができる電子機器及びその組立方法を提供することを目的とする。【解決手段】本発明における電子機器は、外部機器を挿脱可能な挿脱部と、挿脱部が露出される第１開口部と、第１開口部の近傍に形成される第２開口部と、を有するケース部材と、挿脱部を被覆するカバー本体と、カバー本体の一端から延出し、第２開口部に挿入される腕部と、腕部の先端に設けられ腕部の外径よりも大きな外径である被係止部と、を有するカバー部材と、ケース部材とは異なる所定の部材にケース部材の内面側に突出するよう形成される係止部材と、を備え、腕部は、ケース部材と係止部材との間に配置され、係止部材は、被係止部の移動を規制するように配置され、第２開口部は、被係止部の外径よりも大きな内径を有するよう形成されることを特徴とする。【選択図】図８
2008182576.tif 000002
【特許請求の範囲】
【請求項１】
外部機器を挿脱可能な挿脱部と、
前記挿脱部が露出される第１開口部と、前記第１開口部の近傍に形成される第２開口部と、を有するケース部材と、
前記挿脱部を被覆するカバー本体と、前記カバー本体の一端から延出し、前記第２開口部に挿入される腕部と、前記腕部の先端に設けられ前記腕部の外径よりも大きな外径である被係止部と、を有するカバー部材と、
前記ケース部材とは異なる所定の部材に前記ケース部材の内面側に突出するよう形成される係止部材と、を備え、
前記腕部は、前記ケース部材と前記係止部材との間に配置され、
前記係止部材は、前記被係止部の移動を規制するように配置され、
前記第２開口部は、前記被係止部の外径よりも大きな内径を有するよう形成されることを特徴とする電子機器。
【請求項２】
前記ケース部材には、該ケース部材の内側に形成され前記腕部側に突出するように形成される補助係止部材が設けられることを特徴とする請求項１に記載の電子機器。
【請求項３】
前記腕部には、
前記被係止部側であって前記ケース部材側に形成される第１凹状部と、
前記カバー本体側であって前記ケース部材側とは反対側に形成される第２凹状部と、が形成されることを特徴とする請求項１又は２に記載の電子機器。
【請求項４】
外部機器を挿脱可能な挿脱部と、
前記挿脱部が露出される第１開口部と、前記第１開口部の近傍に形成される第２開口部と、を有するケース部材と、
前記挿脱部を被覆するカバー本体と、前記カバー本体の一端から延出し、前記第２開口部に挿入される腕部と、前記腕部の先端に設けられ前記腕部の外径よりも大きな外径である被係止部と、を有するカバー部材と、
前記ケース部材とは異なる所定の部材に前記ケース部材の内面側に突出するよう形成される係止部材と、を備え、
前記腕部は、前記ケース部材と前記係止部材との間に配置され、
前記係止部材は、前記被係止部の移動を規制するように配置され、
前記第２開口部が、前記被係止部の外径よりも大きな内径を有する電子機器の組立方法であって、
前記第２開口部に前記被係止部を挿入する工程と、
前記被係止部が挿入された前記ケース部材に前記所定の部材を嵌装することにより、前記被係止部と前記係止部材とを係合させる工程と、を含む電子機器の組立方法。
【発明の詳細な説明】
【技術分野】
【０００１】
本発明は、外部機器の挿脱部を覆うカバー部材を備えた電子機器及びその組立方法に関する。
【背景技術】
【０００２】
近年、携帯電話機や簡易型携帯電話機（ＰＨＳ（登録商標））、或いはＰＤＡ（Ｐｅｒｓｏｎａｌ  Ｄｉｇｉｔａｌ  Ａｓｓｉｓｔａｎｔｓ）や小型のノート型パソコンといった電子機器は、ユーザの幅広い要求に応えるために、デジタルカメラやモバイルツール等を適宜接続して使用できるようになっている。
【０００３】
また、このような電子機器においては、画像データや音楽データ等、取り扱うデータ量も増大するため、メモリーカード等の着脱可能な記憶媒体を利用可能な機種も多くなってきている。
【０００４】
ところで、これらの電子機器は、筐体の内部に記憶媒体等の外部機器を接続するための挿脱部を備えると共に、この筐体には、外部機器接続用の開口部が形成される。そして、この開口部には、挿脱部を覆うように配置される防塵対策用のカバー部材が取り付けられている（例えば、特許文献１から４参照）。
【０００５】
このような電子機器に使用されるカバー部材は、筐体の開口部に対する容易な開閉と確実な密閉とを両立し得るために、可撓性を有する弾性材料により形成される場合が多い。また、カバー部材を筐体に組み込んだ後、カバー部材が筐体から容易に抜け落ちることを防止するために、電子機器等のケース部材に設けられる差込用の開口部よりも大きな凸部を設け、この凸部を開口部に押し込むことにより凸部と開口部とを係止させ、カバー部材が抜け落ちることを抑制していた。
【特許文献１】特開２００２−１９０３４９号公報
【特許文献２】特開２００３−２８３１５７号公報
【特許文献３】特開２００４−１４０１６６号公報
【特許文献４】特開２００４−２１４９６９号公報
【発明の開示】
【発明が解決しようとする課題】
【０００６】
しかしながら、従来の電子機器に使用されるカバー部材は、ケース部材に設けられる開口部よりも大きく形成される凸部を開口部に押し込むことによりカバー部材に組み付けるため、凸部が開口部に入りにくく、組み付け性が悪かった。
【０００７】
また、カバー部材に用いられる弾性材料は、耐久性が高くないうえ、繰り返しの開閉操作等により破損する可能性が高いため、カバー部材は、交換が容易であることも求められていた。
【０００８】
本発明は、カバー部材の筐体への組み込みが容易で、且つ、筐体からの引き抜き性を損なうことなく確実に筐体に組み込ませることができる電子機器及びその組立方法を提供することを目的とする。
【課題を解決するための手段】
【０００９】
本発明の電子機器は、外部機器を挿脱可能な挿脱部と、前記挿脱部が露出される第１開口部と、前記第１開口部の近傍に形成される第２開口部と、を有するケース部材と、前記挿脱部を被覆するカバー本体と、前記カバー本体に一端から延出し、前記第２開口部に挿入される腕部と、前記腕部の先端に設けられ前記腕部の外径よりも大きな外径である被係止部と、を有するカバー部材と、前記ケース部材とは異なる所定の部材に前記ケース部材の内面側に突出するよう形成される係止部材と、を備え、前記腕部は、前記ケース部材と前記係止部材との間に配置され、前記係止部材は、前記被係止部の移動を規制するように配置され、前記第２開口部は、前記被係止部の外径よりも大きな内径を有するよう形成されることを特徴とする。
【００１０】
ここで、外部機器とは、電子機器と接続可能な機器をいい、例えば、メモリーカード等のような記憶媒体を含む。また、外部機器を直接接続するものの他に、例えば、イヤホンや充電器のようにコネクタを用いて接続するものも含むものとする。
【００１１】
また、前記ケース部材には、該ケース部材の内側に形成され前記腕部側に突出するように形成される補助係止部材が設けられることが好ましい。
【００１２】
また、前記腕部には、前記被係止部側であって前記ケース部材側に形成される第１凹状部と、前記カバー本体側であって前記ケース部材側とは反対側に形成される第２凹状部と、が形成されることが好ましい。
【００１３】
また、本発明の電子機器は、外部機器を挿脱可能な挿脱部と、前記挿脱部が露出される第１開口部と、前記第１開口部の近傍に形成される第２開口部と、を有するケース部材と、前記挿脱部を被覆するカバー本体と、前記カバー本体の一端から延出し、前記第２開口部に挿入される腕部と、前記腕部の先端に設けられ前記腕部の外径よりも大きな外径である被係止部と、を有するカバー部材と、前記ケース部材とは異なる所定の部材に前記ケース部材の内面側に突出するよう形成される係止部材と、を備え、前記腕部は、前記ケース部材と前記係止部材との間に配置され、前記係止部材は、前記被係止部の移動を規制するように配置され、前記第２開口部が、前記被係止部の外径よりも大きな内径を有し、前記第２開口部に前記被係止部を挿入する工程と、前記被係止部が挿入された前記ケース部材に前記所定の部材を嵌装することにより、前記被係止部と前記係止部材とを係合させる工程と、を含む組立方法により組み立てられることを特徴とする。
【発明の効果】
【００１４】
本発明によれば、カバー部材の筐体への組み込みが容易で、且つ、筐体からの引き抜き性を損なうことなく確実に筐体に組み込ませることができる電子機器及びその組立方法を提供することができる。
【発明を実施するための最良の形態】
【００１５】
以下、図面を参照して本発明を実施するための最良の形態を説明する。なお、以下、電子機器として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１６】
図１から図３により、携帯端末装置としての携帯電話機１における基本構造を説明する。図１は、携帯端末装置としての携帯電話機１を開いた状態（第１開状態）における正面図を示す。図２は、携帯電話機１を開いた状態における背面図を示す。また、図３（Ａ）は、携帯電話機１を開いた状態における右側面図を示し、図３（Ｂ）は、携帯電話機１を開いた状態における左側面図を示す。
【００１７】
図１に示すように、本実施形態に係る携帯電話機１は、表示部側筐体３と、操作部側筐体２と、を備える。表示部側筐体３と操作部側筐体２とは、２軸ヒンジ機構を備える連結部４を介して連結されている。これにより、携帯電話機１は、開状態及び閉状態に折り畳み自在に変形可能となると共に、開状態及び閉状態のそれぞれにおいて表示部側筐体３を表状態及び裏状態のそれぞれに切り替えることができる。
【００１８】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２における表面２Ａに配置される操作キー群１１とが同じ側を向くように配置された状態であり、裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００１９】
表示部側筐体３は、外面がフロントケース３ａとリアケース３ｂにより構成される。表示部側筐体３におけるフロントケース３ａには、各種情報を表示するための所定形状のディスプレイ３０と、通話の相手側における音声を出力するレシーバーとしての音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００２０】
また、表示部側筐体３のリアケース３ｂには、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２１】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力されるマイクとしての音声入力部１２とがそれぞれ露出するように構成される。ここで、操作キー群１１としては、各種設定や電話帳機能やメール機能等の各種機能を作動させるための機能設定操作キー１３、電話番号の数字やメール等の文字等を入力するための入力操作キー１４ａからなる入力操作キー群１４、各種操作における決定や上下左右方向のスクロール等を行う操作部材としての決定操作キー１５等を例示することができ、本実施形態に係る操作キー群１１は、機能設定操作キー１３、入力操作キー群１４及び決定操作キー１５により構成されている。また、音声入力部１２は、操作部側筐体２の長手方向における連結部４側とは反対の外端部側に配置される。つまり、音声入力部１２は、携帯電話機１が開状態において一方の外端部側に配置される。
【００２２】
操作キー群１１を構成する各キーそれぞれには、操作部側筐体２と表示部側筐体３との開閉状態や表裏状態等の変形状態、或いは起動されているアプリケーション等の種類に応じて所定の機能が割り当てられている（キー・アサイン）。そして、使用者が各キーを押圧することにより、各キーに割り当てられている機能に応じた動作が実行される。
【００２３】
操作部側筐体２のリアケース２ｂには、図２に示すように、被写体を撮像するカメラ部２３と、被写体に光を照射するライト部２４とが露出して配置される。このカメラ部２３とライト部２４とは、操作部側筐体２における連結部４側の内端部側に配置される。また、操作部側筐体２におけるリアケース２ｂには、バッテリー収容部９２にバッテリー９３を装着するための開口９２ａが形成されると共に、該開口９２ａを塞ぐようにバッテリーリッド２５が配置される。
【００２４】
また、操作部側筐体２の上端部と表示部側筐体３の下端部とは、図１から図３に示すように、２軸ヒンジ機構を備える連結部４を介して連結されている。連結部４における一方の面（裏面）には、図２に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態、起動されているアプリケーション等の種類に応じて所定の機能が割り当てられている（キー・アサイン）。そして、使用者により、操作キー群１１を構成する各キーが押圧されることで、各キーに割り当てられている機能に応じた動作が実行される。
【００２５】
図３（Ａ）に示すように、操作部側筐体２における一方の側面には、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられている（キー・アサイン）。ここで、上述と同様に、使用者がサイドキー２０を押圧することにより、携帯電話機１におけるサイドキー２０に割り当てられている機能に応じた動作が実行される。
【００２６】
また、図３（Ｂ）に示すように、操作部側筐体２における他方の側面には、外部機器（例えば、ホスト装置）とデータの送受信を行うためのインターフェース１６と、ヘッドホン／マイク端子１７と、メモリーカード等の外部メモリが着脱可能なインターフェース１８と、バッテリーを充電するための充電端子１９とが設けられている。なお、インターフェース１６は、不使用時において着脱可能な防塵対策用のキャップ２００で覆われており、ヘッドホン端子／マイク端子１７は、不使用時において着脱可能な防塵対策用のキャップ２０１で覆われている。同様に、インターフェース１８は、カバー部材であるカバー１００で覆われている。
【００２７】
ここで、図４により、カバー１００について説明する。図４（Ａ）は、カバー１００を上方から見た斜視図を示し、図４（Ｂ）は、カバー１００を下方から見た斜視図を示し、図４（Ｃ）は、カバー１００の外形を表す側面図を示す。
【００２８】
本実施形態の携帯電話機１におけるカバー１００は、可撓性を有する弾性材料により形成され、記憶媒体用のインターフェース１８の挿脱口１８ａを覆うカバー本体である蓋部１１０と、蓋部１１０の一端に蓋部１１０と一体的に形成され、操作部側筐体２のリアケース２ｂに設けられた開口部２７に挿入されて、操作部側筐体２内に配置される腕部１２０及び被係止部である爪部１２１と、を備える。
【００２９】
蓋部１１０は、リアケース２ｂの外表面の一部を構成する外面部１１０ａと、リアケース２ｂに設けられた嵌脱部２６に嵌合されると共に、外面部１１０ａの内部を形成する内面部１１０ｂとを備える。蓋部１１０の外面部１１０ａは、リアケース２ｂの嵌脱部２６を覆うと共に、リアケース２ｂの外表面に沿うように形成されている。
【００３０】
一方、内面部１１０ｂは、複数のリブが外面部１１０ａと一体に形成されると共に、リアケース２ｂの嵌脱部２６に嵌合可能に形成される。また、内面部１１０ｂには、リアケース２ｂの嵌脱部２６に設けられた係合部２８と係合する係合爪１１１が設けられており、この係合爪１１１と係合部２８とを係合させることにより、カバー１００は、リアケース２ｂに嵌合された状態で保持される。また、この保持状態は、外面部１１０ａに設けられた不図示の切り欠き部に爪などを差し込んで、外面部１１０ａを引き上げることにより解除可能となり、カバー１００を係合部２８から取り外すことができる。
【００３１】
腕部１２０は、略縦長の板状であって、蓋部１１０一端側から延びるように形成されると共に、蓋部１１０と一体に形成される。腕部１２０の蓋部１１０とは反対側の端部には、被係止部である爪部１２１が設けられる。爪部１２１は、リアケース２ｂ側である一方の面１２０ａに形成される第１爪部１２１ａと、リアケース２ｂ側と反対側である他方の面１２０ｂに形成される第２爪部１２１ｂと、を備える。
【００３２】
腕部１２０のリアケース２ｂ側の面である一方の面１２０ａにおける爪部１２１側には、一対の第１傾斜部１２３ａ、１２７ａと一対の第２傾斜部１２４ａ、１２６ａと平面部１２５ａとからなり、他方の面１２０ｂ側に窪む凹状に形成される第１凹状部１２２が設けられる。言い換えると、第１凹状部１２２は、腕部１２０の一方の面１２０ａにおいて、腕部１２０が延びる方向と直交する方向に溝状に延びたものであって、一方の第１傾斜部１２３ａ及び第２傾斜部１２４ａと、他方の第１傾斜部１２７ａ及び第２傾斜部１２６ａとが側壁を形成し、平面部１２５ａが溝底を形成する。
【００３３】
同様に、腕部１２０のリアケース２ｂ側とは反対側である他方の面１２０ｂにおける蓋部１１０側には、一対の第１傾斜部１２３ｂ、１２７ｂと一対の第２傾斜部１２４ｂ、１２６ｂと平面部１２５ｂとからなり、一方の面１２０ａ側に窪む凹状に形成される第２凹状部１２３が形成される。言い換えると、第２凹状部１２３は、腕部１２０の他方の面１２０ｂにおいて、腕部１２０が延びる方向と直交する方向に溝状に延びたものであって、一方の第１傾斜部１２３ｂ及び第２傾斜部１２４ｂと他方の第１傾斜部１２７ｂ及び第２傾斜部１２６ｂとが側壁を形成し、平面部１２５ｂが溝底を形成する。なお、第１凹状部１２２は、腕部１２０における爪部１２１が形成される側に設けられ、第２凹状部１２３は、腕部１２０における蓋部１１０と連結する側に設けられる。
【００３４】
このように、腕部１２０に第１凹状部１２２及び第２凹状部１２３を設けることにより、腕部１２０を開口部２７に挿入させる場合において、第１凹状部１２２と第２凹状部１２３のそれぞれが折れ起点となり得るため、腕部１２０を容易に挿入させることが可能になる。また、第１凹状部１２２及び第２凹状部１２３に第１傾斜部１２３ａ、１２７ａ及び第２傾斜部１２４ａ、１２６ａと、第１傾斜部１２３ｂ、１２７ｂ及び第２傾斜部１２４ｂ、１２６ｂと、を設けることにより、腕部１２０の挿入時において、第１傾斜部１２３ａ、１２７ａ及び第２傾斜部１２４ａ、１２６ａと、第１傾斜部１２３ｂ、１２７ｂ及び第２傾斜部１２４ｂ、１２６ｂのそれぞれが開口部２７の縁端部と接触するため、クリック感を向上させることが可能になる。
【００３５】
次いで、図５から図７により、連結部４の構造及び携帯電話機１における変形状態について説明する。図５は、携帯電話機１を開いた状態（第１開状態）における斜視図を示す。図６は、携帯電話機１の表示部側筐体３を、連結部４の回動軸Ｙを中心にして所定角度回動した状態の斜視図を示す。図７は、携帯電話機１の表示部側筐体３を、連結部４の回動軸Ｙを中心にして１８０°回動した状態（ターン状態、第２開状態）の斜視図を示す。
【００３６】
図５に示すように、連結部４は、操作部側筐体２と表示部側筐体３とを、開閉軸Ｘを中心にして任意の角度で開閉自在に連結すると共に、回動軸Ｙを中心に任意の角度で回動自在に連結する２軸ヒンジ機構を備える。
【００３７】
連結部４は、一方端４ａ側において図示しない開閉連結部材により操作部側筐体２の上端部と連結されており、他方端４ｂ側において図示しない回動連結部材により表示部側筐体３の下端部と連結されている。
【００３８】
連結部４の一方端４ａには、該連結部４における表面から垂直に突出するように形成される凸形状の開閉部４ｃが形成される。そして、操作部側筐体２の上端部には、この凸形状の開閉部４ｃが挿嵌される凹形状の切り欠き部５が形成される。
【００３９】
この開閉部４ｃの開閉軸Ｘ方向における両側それぞれには、図示しない孔部Ａが形成される。また、操作部側筐体２の切り欠き部５における両内側面には、図示しない孔部Ｂが形成される。そして、凸形状の開閉部４ｃが、凹形状の切り欠き部５に挿嵌された状態において、孔部Ａと孔部Ｂとは互いに近接して対向するよう配置されると共に、孔部Ａと孔部Ｂとの双方に円筒状の開閉連結部材が挿通される。これにより、操作部側筐体２と表示部側筐体３とは、開閉可能に連結される。なお、開閉部４ｃは、操作部側筐体２の上端部に挿嵌される形状であればよく、特に凸形状に限られず、また、操作部側筐体２の上端部の形状も凹形状に限られない。
【００４０】
また、連結部４の他方端４ｂ側と表示部側筐体３の下端部とは、図示しない回動連結部材により回動自在に連結される。連結部４における表示部側筐体３側の側面には、図示しない孔部Ｃが形成される。また、表示部側筐体３における連結部４側の側面には、図示しない孔部Ｄが形成される。そして、孔部Ｃと孔部Ｄとの双方に回動連結部材が挿通されることで、操作部側筐体２と表示部側筐体３とが回動軸Ｙを中心に回動可能に連結される。つまり、操作部側筐体２と表示部側筐体３とは、表示部側筐体３の表裏状態を切り替え可能に連結される。
【００４１】
上述したように、携帯電話機１は、操作部側筐体２と表示部側筐体３とが連結部４により開閉及び回動可能に連結される。これにより、操作部側筐体２と表示部側筐体３とを、開閉軸Ｘを中心にして開閉させたり、回動軸Ｙを中心にして回動をさせたりすることで携帯電話機１を様々な状態に変形させることができる。
【００４２】
例えば、操作部側筐体２と表示部側筐体３とが互いに重なる状態である閉状態（以下、第１閉状態という。）の携帯電話機１を、操作部側筐体２及び表示部側筐体３それぞれにおける開閉軸Ｘと反対側の端部が、互いに離間するよう開閉軸Ｘを中心にして開くように変形させることで、図１から図３に示す操作部側筐体２と表示部側筐体３とが互いに重ならない状態（以下、第１開状態という。）にすることができる。
【００４３】
逆に、図１から図３に示す第１開状態の携帯電話機１を、操作部側筐体２及び表示部側筐体３それぞれの開閉軸Ｘと反対側の端部が、互いに近づくよう開閉軸Ｘを中心にして閉じるように変形させることで、閉状態（以下、第１閉状態という。）にすることができる。
【００４４】
また、図１から図３に示す第１開状態において、例えば、図６に示すように、表示部側筐体３を、回動軸Ｙを中心に回動させることができる。さらには、表示部側筐体３を図６の状態からさらに回動軸Ｙを中心に回転させることで、図７に示すように、表示部側筐体３における表裏状態を切り替えることができる。具体的には、図１から図３に示す表示部側筐体３における表面３Ａに配置されるディスプレイ３０と、操作部側筐体２における表面２Ａに配置される操作キー群１１とが同じ側を向く第１開状態から、表示部側筐体３が回動軸Ｙを中心に１８０度回転されて表示部側筐体３における表面３Ａに配置されるディスプレイ３０と、操作部側筐体２における表面２Ａに配置される操作キー群１１とが反対側を向く開状態（以下、第２開状態という。）にすることができる。
【００４５】
そして、図７に示す第２開状態における表示部側筐体３を開閉軸Ｘを中心にして閉じるよう変形させることで、携帯電話機１を閉状態（以下、第２閉状態という。）にすることができる。つまり、携帯電話機１は、表示部側筐体３におけるディスプレイ３０が、操作部側筐体２における操作キー群１１に対向するよう配置された第１閉状態から、表示部側筐体を回動させることにより、表示部側筐体３におけるディスプレイ３０が、操作部側筐体２に対向せずに表出した状態の第２閉状態（ターンクローズ状態）に変形させることができる。
【００４６】
次いで、図８から図１０により、カバー１００の係止状態について説明する。図８は、操作部側筐体２における内部部材の一部を省略した分解斜視図を示す。図９は、カバー１００を嵌装した操作部側筐体の断面を表す模式図を示す。図１０は、図９における爪部１２１が係止凸部９１により係止される状態を表す模式図を示す。
【００４７】
図８に示すように、操作部側筐体２は、フロントケース２ａと、リアケース２ｂと、を備え、フロントケース２ａとリアケース２ｂとは、互いの凹状の内側面が向き合うように配置されており、互いの外周縁が重なり合うようにして結合される。
【００４８】
また、フロントケース２ａとリアケース２ｂとの間には、不図示のキーシートと、不図示のフレキシブルプリント配線基板と、不図示のシールドケースと、不図示の回路基板と、メモリーカード等の外部メモリが着脱可能なインターフェース１８を備える嵌装部材９０と、不図示のアンテナ部とが、フロントケース２ａ側から前記順番において収納配置される。なお、バッテリー９３は、リアケース２ｂの外側から装脱可能に収容されており、収納後は、開口９２ａを塞ぐようにバッテリーリッド２５が配置される。
【００４９】
リアケース２ｂには、外部メモリを着脱するインターフェース１８の着脱口１８ａが内部に配置されると共に、カバー１００が嵌脱される嵌脱部２６が設けられている。嵌脱部２６は、操作部側筐体２における他方の側面を構成するリアケース２ｂの側面に設けられており、側面における断面が略Ｌ字状になるように形成されている。断面略Ｌ字状に形成される嵌脱部２６の一方の面には、インターフェース１８の着脱口１８ａが露出する第１開口部である露口部１８ｂが配置されており、断面略Ｌ字状の他方の面には、カバー１００に形成される係合爪１１１と係合する係合部２８とが設けられている。
【００５０】
嵌脱部２６の内部における連結部４側であって露口部１８ｂの近傍には、カバー１００の腕部１２０が挿入される第２開口部である開口部２７が形成される。
【００５１】
開口部２７は、前述の嵌脱部２６における他方の面と略平行に形成される横開口と、この横開口に連結する他方の面と前述の一方の面との両方に略垂直に形成される縦開口とから形成されている。また、縦開口と横開口とにより形成される開口部２７は、爪部１２１の外径よりも大きな内径を有するように形成される。言い換えると、開口部２７は、爪部１２１及び腕部１２０が挿入される方向と直交する平面における面積が爪部１２１の前記挿入される方向と直交する平面おける最大の断面積よりも大きくなるように形成されている。すなわち、前述の爪部１２１の最大断面積は、前述の開口面の断面積よりも小さくなるように形成されている。
【００５２】
また、リアケース２ｂの内部には、図９に示すように、嵌装部材９０に形成される係止凸部９１と対向する位置において、係止凸部９１側に突出する補助係止部材である補助係止部２９が設けられている。
【００５３】
図１０に示すように、第１爪部１２１ａは、リアケース２ｂの内部に形成され、腕部１２１側に突出する補助係止部２９と係合可能となる。爪部１２１は、補助係止部２９と係止凸部９１とにより係止される。そして、補助係止部２９は、係止凸部９１とともにカバー１００がリアケース２ｂから外れることを規制する。この補助係止部２９は、爪部１２１を係止凸部９１とにより係止可能な位置に配置される。好ましくは、補助係止部２９は、係止凸部９１と対向する位置に配置される。
【００５４】
第２爪部１２１ｂは、爪部１２１及び腕部１２０がリアケース２ｂに収納された状態でリアケース２ｂに所定の部材である嵌装部材９０が嵌装されると、嵌装部材９０に設けられる係止凸部９１が腕部１２０に当接するように配置されることで係合可能となる。
【００５５】
このように、第２爪部１２１ｂと係止凸部９１とが係合し、第２爪部１２１ｂが係止凸部９１に係止されることにより、カバー１００は、リアケース２ｂから抜け難くなる。なお、係止凸部９１は、カバー１００の腕部１２０の移動は実質的に規制しないが、爪部１２１の移動は規制するように配置される。
【００５６】
嵌装部材９０には、外部メモリを着脱するインターフェース１８が配置されると共に、リアケース２ｂ側に延びる係止凸部９１が設けられる。係止凸部９１は、開口部２７から挿入された腕部１２０の端部に設けられる爪部１２１を係止させるためのものであり、腕部１２０と係合可能とするために開口部２７の近傍に配置されるように嵌装部材９０に設けられる。
【００５７】
次いで、図１１及び図１２により、カバー１００を備えた携帯電話機１の組立方法について説明する。図１１は、カバー１００をリアケース２ｂに装着する状態を表す模式図を示す。図１２は、カバー１００をリアケース２ｂに装着後、リアケース２に嵌装部材を備えるフロントケース２ａを装着する状態を表す模式図を示す。
【００５８】
まず、カバー１００の腕部１２０の端部に設けられた爪部１２１を図１１に示す方向である挿脱方向に沿って、リアケース２ｂに設けられた開口部２７に挿入させる。ここで、リアケース２ｂの開口部２７における爪部１２１の挿入方向と直交する平面における面積が、爪部１２１の挿入方向と直交する断面積の面積よりも大きく形成されているため、爪部１２１は、リアケース２ｂの開口部２７により変形されることなく挿入される。言い換えると、爪部１２１は、開口部２７と係合することなく挿入される。
【００５９】
そして、腕部１２０及び爪部１２１を開口部２７から挿入させた状態で、リアケース２ａに嵌装部材９０を嵌装させる。これにより、図１２に示すように、嵌装部材に設けられた係止凸部９１は、リアケース２ｂの内面に形成された補助係止部２９と対向する位置に設けられているため、腕部１２０は、係合凸部９１と補助係止部２９との間に配置される。そして、蓋部１１０を挿脱方向に沿って引き出すように移動させた場合、第１爪部１２１ａと第２爪部１２１ｂとが補助係止部２９と係止凸部９１に係合されるため、カバー１００は、リアケース２ｂから抜け難くなる。
【００６０】
このように、本実施形態にかかる携帯電話機１は、開口部２７は、爪部１２１の外径よりも大きな内径になるように形成されるため、腕部１２０の挿脱が容易となる。また、嵌装部材９０の組み込み後においては、腕部１２０は、リアケース２ｂと嵌装部材９０のそれぞれに、それぞれが対向する位置に形成される補助係止部２９と係止凸部９１とに挟持されるとともに、爪部１２１の第１爪部１２１ａ及び第２爪部１２１ｂが補助係止部２９及び係止凸部９１に係合するため、引き抜き防止性が向上する。
【００６１】
さらに、カバー１００を交換する場合においては、嵌装部材９０を取り外すことにより、容易に取り外すことが可能となるためカバー１００が破損等した場合においても交換が容易となる。
【００６２】
さらに、腕部１２０には、折れ起点となる第１凹状部１２２が設けられているため、嵌装部材９０をリアケース２ｂに嵌装した後においても、カバー１００は、第１凹状部１２２において折り曲がり、カバー１００の挿入方向を維持し易くなる。また、第１凹状部１２２を設けることにより、係合部に応力が集中することを防止することができる。
【００６３】
また、腕部１２０の第１凹状部１２２及び第２凹状部１２３のそれぞれには、第１傾斜部１２３ａ、１２７ａ及び第２傾斜部１２４ａ、１２６ａと、第１傾斜部１２３ｂ、１２７ｂ及び第２傾斜部１２４ｂ、１２６ｂと、が設けられているため、挿入時において、第１傾斜部１２３ａ、１２７ａ及び第２傾斜部１２４ａ、１２６ａと、第１傾斜部１２３ｂ、１２７ｂ及び第２傾斜部１２４ｂ、１２６ｂのそれぞれが開口部２７の側縁と順次接触するため、クリック感が向上する。
【００６４】
なお、本実施形態においては、爪部１２１は、第１爪部１２１ａと第２爪部１２１ｂとを設けたが、第２爪部１２１ｂのみの構成としても係止凸部９１が第２爪部１２１ｂと係合可能であり、爪部１２１は係止凸部９１により係止可能となるため、第２爪部１２１ｂのみの構成としてもよい。
【００６５】
また、本実施形態においては、リアケース２ｂの内部に係止凸部９１側に延びる補助係合部２９を設けたが、補助係合部２９を設けない構成としても爪部１２１は係止凸部９１により係止可能となるため、補助係合部を設けない構成としてもよい。
【００６６】
また、本実施形態においては、補助係合部２９は、係止凸部９１と対向する位置に設けたが、爪部１２１を係止可能な位置であればよい。
【００６７】
また、本実施形態においては、開口部２７は、爪部１２１と係合することなく挿入可能な大きさに形成したが、爪部１２１が容易に挿入可能な大きさであればよい。例えば、弾性材料により形成される爪部１２１の端部において、開口部との接触による変形が少ないものであってもよく、挿入にあたり、腕部１２０が変形しない程度のものであってもよい。
【００６８】
なお、本実施形態においては、開口部２７は縦開口と横開口とからなるものを形成したが、開口部２７は、爪部１２１の外径よりも大きな内径になるように形成されることにより、上述の効果が得られるため、縦開口若しくは横開口のいずれかからなるものであってもよい。
【図面の簡単な説明】
【００６９】
【図１】携帯端末装置としての携帯電話機１を開いた状態（第１開状態）における正面図を示す。
【図２】携帯電話機１を開いた状態における背面図を示す。
【図３】（Ａ）携帯電話機１を開いた状態における右側面図を示し、（Ｂ）携帯電話機１を開いた状態における左側面図を示す。
【図４】（Ａ）カバー１００を上方から見た斜視図を示し、（Ｂ）カバー１００を下方から見た斜視図を示し、（Ｃ）カバー１００の外形を表す側面図を示す。
【図５】携帯電話機１を開いた状態における斜視図を示す。
【図６】携帯電話機１の表示部側筐体３を、連結部４の回動軸Ｙを中心にして所定角度回動した状態の斜視図を示す。
【図７】携帯電話機１の表示部側筐体３を、連結部４の回動軸Ｙを中心にして１８０°回動した状態の斜視図を示す。
【図８】操作部側筐体２における内部部材の一部を省略した分解斜視図を示す。
【図９】カバー１００を嵌装した操作部側筐体の断面を表す模式図を示す。
【図１０】図９における爪部１２１が係止凸部９１により係止される状態を表す模式図を示す。
【図１１】カバー１００をリアケース２ｂに装着する状態を表す模式図を示す。
【図１２】カバー１００をリアケース２ｂに装着後、リアケース２に嵌装部材を備えるフロントケース２ａを装着する状態を表す模式図を示す。
【符号の説明】
【００７０】
１    携帯電話機
２    操作部側筐体
２ａ    フロントケース
２ｂ    リアケース
３    表示部側筐体
４    連結部
１８    メモリーカード用インターフェース
１８ａ    挿脱口
２６    嵌脱部
２７    開口部
２９    補助係止部
９０    嵌装部材
９１    係止凸部
１００    カバー
１１０    蓋部
１２０    腕部
１２１    爪部
【図１】
2008182576.tif 000003
【図２】
2008182576.tif 000004
【図３】
2008182576.tif 000005
【図４】
2008182576.tif 000006
【図５】
2008182576.tif 000007
【図６】
2008182576.tif 000008
【図７】
2008182576.tif 000009
【図８】
2008182576.tif 000010
【図９】
2008182576.tif 000011
【図１０】
2008182576.tif 000012
【図１１】
2008182576.tif 000013
【図１２】
2008182576.tif 000014